(57)【要約】  事前情報を送信および受信する方法および装置が提供される。送信方法は、事前情報を、これから送信される信号のサンプリング周波数およびチャネル帯域に基づいて送信装置の回路によって生成する工程を含む。事前情報は回路によってデータ信号に付加される。回路は、付加された事前情報を含むデータ信号を受信装置に送信する。
2018504800.tif 000002
【特許請求の範囲】
【請求項１】
事前情報を送信する方法であって、前記方法は、
前記事前情報を、これから送信される信号のサンプリング周波数およびチャネル帯域に基づいて送信装置の回路によって生成する工程と、
前記事前情報を前記回路によってデータ信号に付加する工程と、
前記付加された事前情報を含む前記データ信号を前記回路によって受信装置に送信する工程と、
を含む、方法。
【請求項２】
前記生成する工程は、前記事前情報を表すチャープ信号を生成する工程であって、前記チャープ信号は、チャープ率が前記サンプリング周波数に等しく、かつ最大周波数が前記チャネル帯域に等しい少なくとも１つのバーストを含む、工程を含む、請求項１に記載の方法。
【請求項３】
前記チャープ信号は少なくとも２つの同一バーストを含む、請求項２に記載の方法。
【請求項４】
前記少なくとも２つの同一バーストのうちの１つのバーストの開始は、前記少なくとも２つの同一バーストのうちの２つの間の周波数の変化によって検出される、請求項３に記載の方法。
【請求項５】
前記チャープ信号はＣＯＦＤＭフレームに付加される、請求項２に記載の方法。
【請求項６】
前記チャープ信号は前記ＣＯＦＤＭフレームのプリアンブルに付加される、請求項５に記載の方法。
【請求項７】
前記生成する工程は、
前記サンプリング周波数および前記チャネル帯域を含む前記事前情報を表す２進コードを生成する工程と、
連続パイロットの位相を前記２進コードに基づいて設定する工程と、
を含む、請求項１に記載の方法。
【請求項８】
前記事前情報は符号化され、ゴールド符号を用いて時間的に積算される、請求項７に記載の方法。
【請求項９】
事前情報を受信する方法であって、前記方法は、
送信された信号を受信装置の回路によって受信する工程であって、前記送信された信号はデータ信号に付加された事前情報を含む、工程と、
前記送信された信号に含まれる前記事前情報を前記回路によって検出する工程と、
前記送信された信号に関連するサンプリング周波数およびチャネル帯域を、前記検出された事前情報に基づいて決定する工程と、
を含む、方法。
【請求項１０】
前記送信された信号を受信する同調器を、前記決定されたチャネル帯域に基づいて調整する工程と、
前記受信信号のアナログデジタル変換を、前記決定されたサンプリング周波数に基づいて実行する工程と、
をさらに含む、請求項９に記載の方法。
【請求項１１】
前記検出する工程は、
前記事前情報を表すチャープ信号を検出する工程であって、前記チャープ信号は、チャープ率が前記サンプリング周波数に等しく、かつ最大周波数が前記チャネル帯域に等しい少なくとも１つのバーストを含む、工程、
を含む、請求項９に記載の方法。
【請求項１２】
前記検出する工程は、
前記送信された信号のＦＭ復調を実行する工程、
を含む、請求項１１に記載の方法。
【請求項１３】
前記チャープ信号は少なくとも２つの同一バーストを含む、請求項１１に記載の方法。
【請求項１４】
前記少なくとも２つの同一バーストのうちの１つのバーストの開始は、前記少なくとも２つの同一バーストのうちの２つの間の周波数の変化によって検出される、請求項１３に記載の方法。
【請求項１５】
前記チャープ信号はＣＯＦＤＭフレームに付加される、請求項１１に記載の方法。
【請求項１６】
前記チャープ信号は前記ＣＯＦＤＭフレームのプリアンブルに付加される、請求項１５に記載の方法。
【請求項１７】
前記検出する工程は、
連続パイロットの位相を検出する工程と、
前記連続パイロットの前記位相を前のデータ搬送波と比較する工程と、
位相変化があるという判定に応答して第１のコードを検出する工程と、
位相変化がないという判定に応答して第２のコードを検出する工程と、
前記検出されたコードに基づいて前記サンプリング周波数および前記チャネル帯域の１つをルックアップテーブルを用いて取り出す工程と、
を含む、請求項９に記載の方法。
【請求項１８】
前記検出されたコードは符号化された事前情報を表し、
前記事前情報を検出する前記工程は、前記検出されたコードをメモリに格納されたゴールド符号を用いて積算する工程をさらに含む、
請求項１７に記載の方法。
【請求項１９】
事前情報を、これから送信されるデータ信号のサンプリング周波数およびチャネル帯域に基づいて生成し、
前記事前情報を前記データ信号に付加し、
前記付加された事前情報を含む前記データ信号を受信装置に送信する、
ように構成された回路を備えた、送信装置。
【請求項２０】
送信された信号を受信し、前記送信された信号はデータ信号に付加された事前情報を含み、
前記送信された信号に含まれる前記事前情報を検出し、
前記送信された信号に関連するサンプリング周波数およびチャネル帯域を、前記検出された事前情報に基づいて決定する、
ように構成された回路を備えた、受信装置。
【発明の詳細な説明】
【技術分野】
【０００１】
本開示は、通信システムにおける事前情報の送信および受信に関する。
【０００２】
関連出願の相互参照
本出願は、２０１４年１２月１０日に出願された米国特許出願第１４／５６６，５７４号の優先権を主張する。同特許出願は、その全体が参照によって本願明細書に援用される。
【背景技術】
【０００３】
この１０年の間に地上放送はアナログからデジタルへと発展した。準拠する放送規格に応じていくつかの広帯域デジタル通信技術が存在する。例えば、ＤＳＳＳ（直接スペクトラム拡散方式）やＯＦＤＭ（直交周波数分割多重方式）は、無線か銅線かに関係なく、広帯域デジタル通信システムに用いられる最近の方式のひとつである。ＯＦＤＭはデジタルデータを複数の搬送周波数上に符号化する方法であり、デジタルテレビ・音声放送、ＤＳＬによるインターネットアクセス、ワイヤレスネットワーク、電力線ネットワーク、および４Ｇモバイル通信等の用途に用いられている。
【０００４】
現在のデジタル放送システムは、受信器においてチャネル帯域幅（以下「チャネル帯域」）の固定的な認識の下に動作している。受信器は、利用する通信技術に関する具体的な情報に加え、受信信号を復調するためにチャネル帯域またはサンプリング周波数を必要とする。技術の進歩により、チャネル帯域およびサンプリング周波数は年を経て変化しうる。本発明者が認識するように、チャネル帯域および／またはサンプリング周波数は容易に変更できることが求められている。
【発明の概要】
【０００５】
本開示の一実施形態によると、送信装置が事前情報を送信する方法が提供される。この方法は、事前情報を、これから送信される信号のサンプリング周波数およびチャネル帯域に基づいて送信装置の回路によって生成する工程を含む。事前情報は回路によってデータ信号に付加される。回路は、付加された事前情報を含むデータ信号を受信装置に送信する。
【０００６】
本開示の一実施形態によると、事前情報を、これから送信されるデータ信号のサンプリング周波数およびチャネル帯域に基づいて生成し、事前情報をデータ信号に付加し、付加された事前情報を含むデータ信号を受信装置に送信するように構成された回路、を備えた送信装置が提供される。
【０００７】
本開示の一実施形態によると、受信装置が事前情報を検出する方法が提供される。この方法は、送信された信号を受信装置の回路によって受信する工程を含む。送信された信号は、データ信号に付加された事前情報を含む。送信された信号に含まれる事前情報は回路によって検出される。さらに、回路は、送信された信号に関連するサンプリング周波数およびチャネル帯域を、検出された事前情報に基づいて決定する。
【０００８】
本開示の一実施形態によると、受信装置が提供される。受信装置は、送信された信号を受信するように構成された回路を備える。送信された信号は、データ信号に付加された事前情報を含む。回路は、送信された信号に含まれる事前情報を検出し、送信された信号に関連するサンプリング周波数およびチャネル帯域を、検出された事前情報に基づいて決定する。
【０００９】
本開示のより完全な理解およびそれに付随する利点の多くは、以下の詳細な説明を添付の図面と併せて検討することによってよりよく理解すれば、容易に得られるだろう。
【図面の簡単な説明】
【００１０】
【図１】一実施形態に係る受信装置の各部を示す図である。
【図２】事前情報の送信を行う例示的方法のフローチャートである。
【図３】事前情報の受信を行う例示的方法のフローチャートである。
【図４】一実施形態に係る事前情報を含む、ソニー株式会社の提案によるプリアンブルを示す図である。
【図５Ａ】一実施形態に係るチャープ信号を示す図である。
【図５Ｂ】一実施形態に係る２トーン信号を示す図である。
【図６】一実施形態に係るチャープ信号の時間ドメインと振幅スペクトルとを示す図である。
【図７】例示的な送信装置のブロック図である。
【図８】一実施形態に係る、提案されるＡＴＳＣ３．０の物理層アーキテクチャを示す図である。
【図９】受信装置の例示的な受信器回路のブロック図である。
【図１０】振幅ダイバーシティを用いる受信装置の例示的な受信器回路のブロック図表示である。
【図１１】例示的な受信装置を示す図である。
【図１２】コンピュータのハードウェア構成の一例を示すブロック図である。
【発明を実施するための形態】
【００１１】
本開示は多様な形態の実施形態を含むが、図面に示し明細書に詳しく説明するのは、特定の実施形態である。本開示のかかる実施形態は原理の一例と見なすべきであり、図示および説明する特定の実施形態に本開示を限定するものではないことを理解するべきである。以下の説明では、図面の各図において同一、同様、または対応する部分に対して同じ参照番号を付している。
【００１２】
本明細書における単数形（「ａ」または「ａｎ」）の語は１つまたは１つより多いと定義される。本明細書における「複数」の語は２つまたは２つより多いと定義される。本明細書における「別の（ａｎｏｔｈｅｒ）」の語は、少なくとも第２の、またはそれ以降の、と定義される。本明細書における「含む（ｉｎｃｌｕｄｉｎｇ）」および／または「有する（ｈａｖｉｎｇ）」の語は、含有する（すなわち、オープンランゲージ）と定義される。本明細書における「結合される」の語は接続されていると定義されるが、必ずしも直接接続されているとは限らず、また必ずしも機械的に接続されているとは限らない。「プログラム」または「コンピュータプログラム」の語、あるいは同様の用語は、コンピュータシステム上で実行するように設計された一連の命令と定義される。「プログラム」または「コンピュータプログラム」は、サブルーチン、プログラムモジュール、スクリプト、関数、手続き、オブジェクトメソッド、オブジェクト実装、実行可能なアプリケーションにおいて、アプレット、サーブレット、ソースコード、オブジェクトコード、共有ライブラリ／ダイナミックロードライブラリ、および／またはコンピュータシステム上で実行するように設計された他の一連の命令を含みうる。
【００１３】
本書を通して、「一実施形態」、「いくつかの実施形態」、「ある実施形態」、「あるインプリメンテーション」、「ある例」、または同様の語に言及する場合、それは、その実施形態に関連して記載されるある特定の特徴、構造、または特性が本開示の少なくとも１つの実施形態に含まれることを意味する。したがって、本明細書のまたはさまざまな場所におけるかかる語句の記載は、必ずしもすべて同一の実施形態を指すとは限らない。さらに、上記特定の特徴、構造、または特性は、１つ以上の実施形態において任意の好適な要領で制限なく組み合わせうる。
【００１４】
本明細書における「または」の語は、すべてを含みうる、すなわち任意の１つもしくは任意の組み合わせを意味すると解釈するべきである。したがって、「Ａ、Ｂ、またはＣ」は、「Ａ；Ｂ；Ｃ；ＡおよびＢ；ＡおよびＣ；ＢおよびＣ；Ａ、Ｂ、およびＣ；のうちの任意のもの」を意味する。この定義の例外が生じるのは、要素、機能、工程、または作用の組み合わせが何らかの形で本質的に相互排他的である場合に限られる。
【００１５】
技術の進歩に伴い、データ通信に使用されるチャネル帯域および／またはサンプリング周波数は変化しうる。そのような変化の原因として、通信方式（例えば、異なる放送技術）または他の基準（例えば、サービス提供者の仕様）の変化等の要因が挙げられうる。例えば、サービス提供者は、４Ｋコンテンツの放送に適切なチャネル帯域を選ぶこともあれば、モバイルコンテンツの放送に適切なチャネル帯域を選ぶこともある。別の例において、サービス提供者は近接するいくつかのチャネルを制御することがあり、そのようにすればチャンネルボンディングのメリットを活かすことができる。
【００１６】
例えばこの１０年の間に、ＩＥＥＥ８０２．１１ファミリーには多くのバージョン（ａ、ｂ、ｇ、ｎ、ａｃ等）が含まれるようになった。その変調方式はＯＦＤＭまたはＤＳＳＳであり、中心周波数は２．４ＧＨｚまたは５ＧＨｚであり、サンプリング周波数もしくはデータレートは１Ｍｂｐｓから７８０Ｍｂｐｓに変わり、帯域は２０ＭＨｚから１６０ＭＨｚに変わっている。
【００１７】
チャネル帯域および／またはサンプリング周波数が変わると、技術の進歩のメリットを活かすために装置が交換されるのが一般的である。しかし、技術が向上するたびに機器を交換していたのでは、柔軟性に欠けるだけでなく、費用がかかるし廃棄物も生じる。したがって、チャネル帯域に関するさまざまな選択肢に応じるため、帯域およびサンプリング周波数を含めた事前情報を示すことが必要である。なぜなら、例えば８０２．１１にはいくつかのバージョンがあることからも明らかなように、最初に設定されたサンプリング周波数および帯域が何年にもわたって一定であるとは限らないからである。本開示の実施形態は、チャネル帯域、サンプリング周波数、および／または多重化周波数を受信装置に提供することによってこれらの問題に対処している。この情報は、関連するデータストリームと合わせて提供しても、データストリームと別に提供してもよい。
【００１８】
チャネル帯域およびサンプリング周波数は事前情報中に含まれ、これらは受信装置が受信信号を復調するときに必要となる。また、事前情報は多重化方式を含んでいてもよい。本開示のいくつかの実施形態において、プリオリ情報は信号とともに送信される。しかし、事前情報は、例えば、ある所定のチャネルを介して、またはインターネット上のある所定のサーバによって等、信号とは別に提供されうる。所定のサーバは、ソフトウェアアップデートを受信装置に提供するサーバであって、サービス提供者によって提供されるか、またはＦＣＣ等の指定機関によって提供されるものでありうる。
【００１９】
いくつかの実施形態において、事前情報は、チャネル帯域および／またはサンプリング周波数が受信装置にあらかじめ知られている必要のない方式を用いて送信される。事前情報は、チャネル帯域とサンプリング周波数の一方またはその組み合わせを含む。事前情報は、受信装置において復号を開始する前に取得される。受信装置はまず事前情報を処理してチャネル帯域およびサンプリング周波数を抽出（もしくは決定）する。次に、チャネル帯域およびサンプリング周波数がデジタル情報の復号に用いられる。提案の方法には柔軟性があり、多様な通信規格とともに使用できる。
【００２０】
図１は、一実施形態に係る受信装置の構成要素を示したものである。同調器１００は、送信されるＲＦ信号のバンドの中から中心チャネルの無線周波数（ＲＦ）を選択する。同調器１００は不要な帯域外信号を除外する。しかし、中心チャネルに近接するいくつかのチャネルも受信される。グラフ１０２は、受信したＲＦ信号のパワースペクトル密度（ＰＳＤ）を示す。グラフ１０４は、同調器１００の出力におけるＰＳＤを示す。中心チャネルはＮで表している。グラフ１０４に示すように、中心チャネルＮに近接する周波数の一部が同調器１００の出力に存在する。隣接チャネル（Ｎ−１）および（Ｎ＋１）の一部が残っているのは、同調器１００のバンドパスフィルタがもつ理想的でない性質による。
【００２１】
同調器１００からの出力信号はアナログデジタル変換器（ＡＤＣ）１０８に供給される。ＡＤＣ１０８はアナログデジタル変換を実施するためにサンプリング周波数を必要とする。ＡＤＣ１０８からの出力信号は復調器１０６に供給される。復調器１０６は、標準的なベースバンド信号をＲＦ搬送波（そのベースバンド信号を通信媒体（例えば、空気または同軸ケーブル）経由で送信するために用いたもの）から分離する。帯域はＡＴＳＣ（米国高度テレビジョンシステムズ委員会）によって策定された規格を用いて規制のとおりに固定されるため、受信装置にとって既知である。同調器１００が所望の周波数に同調されると、帯域内のエネルギーのすべては所望の情報であると見なされる。現在のテレビシステムでは、帯域は、テレビシステムの使用位置で実施される１つ以上の規格に基づいてメーカーによって固定化されている。帯域は既知であるため、サンプリング周波数を決定することができる。
【００２２】
図２は、送信装置が事前情報を送信する例示的方法のフローチャートである。ステップＳ２０２において、ユーザはチャネル帯域とサンプリング周波数の一方またはその組み合わせを設定する。ユーザは放送局のオペレータでありうる。例えば、放送者は隣接する３つのチャネルを所有しえ、それらのチャネルの帯域をひとつに合わせるように判断しうる。送信装置はデジタルテレビ放送信号を、例えばＡＴＳＣが策定した規格に従ってブロードキャストしうる。ステップＳ２０４において、送信装置はプリアンブルを生成する。一実施形態において、プリアンブルは事前情報を含む。プリアンブルは、情報を搬送する、非常に小さな帯域信号（例えば、サンプリング周波数に１０ビット〜５ビット、チャネル帯域に５ビット）を含みうる。
【００２３】
この信号は連続パイロット上に載せられうる。放送システムの場合、パイロット信号は通信システム上を送信される信号（通常は単一周波数）で、監視、制御、等化、連続性、同期、または基準を目的とするものである。連続パイロットは、特定の周波数に対応する既知の一定値を有する。一実施形態において、前のデータ搬送波と連続パイロットとの間の位相変化は「−１」を示しえ、位相の無変化は「＋１」を示しうる。サンプリング周波数およびチャネル帯域はその同等の２進ワード（例えば、上記の１０ビット）によって表される。一実施形態において、ゼロは「＋１」に、１は「−１」にマッピングされうる。他の諸実施形態において、この位相変化表示および／またはマッピングは反対でもよく、連続パイロットの数は各モード（例えば、８Ｋ、１６Ｋ等）に対応する。
【００２４】
事前情報は、ゴールド符号を有し、かつ雑音より低いレベルで伝播する、チップ列でありうる。ゴールド符号は互いに高度に直交する２進数列である。ゴールド符号は位置合わせが正確な場合に強い相関を示す。ゴールド符号は衛星の航行およびＣＤＭＡ（符号分割多重アクセス方式）通信に広く用いられている。事前情報は符号化された後、符号化された事前情報は上述の連続パイロットに載せて送信される。符号化された事前情報は、既知のゴールド符号等を用いて時間的に積算することができる。事前情報の抽出には、ある既知のコードを用いた時間的なＦＭ復調器加算累算器を必要とする。この既知のコードは、ドップラーオフセットおよびチップ列オフセットおよびチップ列オフセットにわたって変動する必要があり、チャネル変化時間がそれだけ増大する可能性がある。
【００２５】
一実施形態において、事前情報は、符号化ＯＦＤＭ（ＣＯＦＤＭ）に基づくシステムとともに使用しえ、事前情報はチャープ信号内に含めて送信される。他の諸実施形態において、事前情報は振幅ダイバーシティを用いて送信されうる。
【００２６】
当業者ならわかるように、プリアンブルは制御、同期、情報、または他のシグナリングデータをも含みうる。ステップＳ２０６において、プリアンブルは情報信号またはフレームに付加されるか、または挿入される。別の実施形態において、事前情報は情報信号またはフレームの一部に挿入される。ステップＳ２０８では、ステップＳ２０６で生成された信号（例えば、デジタルテレビ信号）が何らかの通信方法に沿って変調されて送信される。これについては後に詳述する。
【００２７】
図３は、受信装置が事前情報を受信する例示的方法のフローチャートである。ステップＳ３０２において、信号が受信装置によって受信される。例えば、受信装置は、ステップＳ２０８でワイヤレスチャネル（例えば、地上放送チャネル）を介して送信されたデジタルテレビ放送信号を受信する。デジタルテレビ放送信号は音声・動画コンテンツを含む。ステップＳ３０４において、同調器はＲＦ帯（例えば、ＵＨＦ、ＶＨＦの２０ＭＨｚ）を選択する。ステップＳ３０６では受信装置が事前情報を探索（あるいは検出）する。これについては後述する。ステップＳ３０８では事前情報が信号から（例えば、プリアンブルから）抽出される。抽出方法は、事前情報を送信する方法の種類（例えば、チャープ信号、ゴールド符号、ＱＰＳＫ符号等）によって異なる。抽出した事前情報に基づいてチャネル帯域およびサンプリング周波数を取得するにあたり、受信装置はルックアップテーブルを使用しうる。ステップＳ３１０では、サンプリング周波数がＡＤＣに提供され、チャネル帯域が同調器に提供される。
【００２８】
一実施形態において、上記のプリアンブルおよび事前情報信号は、ＣＯＦＤＭ方式を使用する放送システム内で送信されるデジタルテレビ信号中に含まれる。ＣＯＦＤＭがＯＦＤＭと異なる点は、送信前に信号に前方誤り訂正が行われることであり、それ以外は同じである。ＯＦＤＭは、地上デジタルテレビ放送システムＤＶＢ−Ｔ（欧州で使用）および地上テレビ放送向け統合デジタル放送サービスＩＳＤＢ−Ｔ（日本で使用）において使用される。ＣＯＦＤＭは、現在討議が行われているＡＴＳＣ３．０の将来バージョンに使用されることが期待されている。ＣＯＦＤＭはマルチキャリア変調技術のひとつであり、一部のワイヤレス環境において良好な性能を実現できる。ＣＯＦＤＭでは、利用可能な帯域がいくつかの直交周波数サブバンドに分割される。サブバンドはサブキャリアとも呼ばれる。データペイロードの各サブキャリアへの部分割り当てによって周波数選択性フェーディングが防止される。サブキャリアの数は準拠する規格によって異なりうる。例えば、ＤＶＢ−Ｈ（Ｄｉｇｉｔａｌ  Ｖｉｄｅｏ  Ｂｒｏａｄｃａｓｔｉｎｇ  ｆｏｒ  Ｈａｎｄｈｅｌｄｓ）は動作モードに応じて１７０５、３４０９、または６８１７のサブキャリアを使用する。ＩＳＤＢ−Ｔは動作モードに応じて２５６、５１２、または１０２４個を使用する。
【００２９】
図４に、一実施形態に係る事前情報を含む、ソニー株式会社の提案によるプリアンブルを示す。ただし、事前情報はあらゆる他の種類のプリアンブルに、あるいは送信された信号の他の部分に挿入しうることに留意するべきである。事前情報は１つ以上のチャープによって表される。プリアンブルは、Ｌ１プレシグナリング部４００と、緊急放送システム（ＥＡＳ）部４０２と、Ｌ１ポストシグナリング部４０４と、を含む。図に示すように、事前情報信号は、一実施形態に係るＬ１プレシグナリング部４００の先頭に挿入される。ただし、事前情報はプリアンブルの任意の他の部分（例えば、プリアンブルの任意の部分間、またはＬ１ポストシグナリング部の後ろ）に挿入してもよい。
【００３０】
受信装置は、ＣＯＦＤＭフレームの開始を示すプリアンブルまたはＧＩの検出後に入力信号の復調を開始する。ＧＩはフレームデータの繰り返し部分であるため、受信装置は自己相関を用いてフレームの先頭を発見しうる。サイクリックプレフィックスを用いたガードインターバルの長さがチャネル遅延拡散と同じかそれよりも長い場合、符号間干渉（ＩＳＩ）は完全に除去しうる。ＣＰはＩＳＩの影響を除去するためだけに使用されるものであるため、受信装置において廃棄される。フレームデータは、使用するシステムに応じて符号化されうる。例えば、データは、変調されたＢＰＳＫ、ＱＰＳＫ、またはＱＡＭでありうる。例えば、ＤＶＢ−Ｔ２の場合、サブキャリア変調方式はＱＰＳＫ、１６ＱＡＭ、６４ＱＡＭ、または２５６ＱＡＭでありうる。
【００３１】
一実施形態において、ステップＳ２０４において生成されるプリアンブル信号はチャープ信号を含む。チャープ信号は、周波数が時間とともに増加（アップチャープ）または減少（ダウンチャープ）するチャープバーストを１つ以上含む信号である。線形チャープが使用されうる。チャープ信号は次式で表されうる。
ｆ（ｔ）＝ｆ０＋ｋｔ      （１）
ここに、ｆ０は開始周波数、ｋはチャープ率である。チャープ率は次式で表されうる。
【数１】
2018504800.tif 000003
ここに、ｆ１は時刻ｔ１におけるチャープの最終周波数である。一実施形態において、チャープ信号はレーダーチャープに似ている。
【００３２】
図５Ａは、一実施形態に係るチャープ信号を示したものである。開始周波数またはバーストには、ある所定値と等しい値を選択しうる。この所定値は、ある所定の最小チャネル帯域（例えば、ある所定の放送規格によって規定されるもの）に等しい値（例えば、５ＭＨｚ）でありうる。所定値は送信装置および受信装置の対応するメモリに格納されうる。所定値はゼロの値も取りうる。チャープ率は周波数の増加率を表す値であり、サンプリング周波数に基づいて選択しうる。最終（最大）周波数には、ステップＳ２０２において取得されるチャネル帯域と等しい値を選択しうる。傾きは、チャープの最終周波数からチャープの初期周波数を引いた差分を、バーストの時間幅（チャープ周期）で割った値と定義される。例えば、チャープ信号は０ＭＨｚ（ｆ０＝０ＭＨｚ）の周波数で始まって６ＭＨｚ（ｆ１＝６ＭＨｚ）の最終（最大）周波数に至りうる。このとき最終（最大）周波数はチャネル帯域を表す。チャープ率は４８／７とされる。これはサンプリング周波数ｆｓを表す。したがって、チャープ信号の周波数は以下の期間中に０ＭＨｚから６ＭＨｚに変動するはずである。
【数２】
2018504800.tif 000004
チャープ信号は、デジタル信号プロセッサ（ＤＳＰ）と、ダイレクトデジタルシンセサイザを使用するＤＡＣとを用いてデジタル的に生成されうる。各フレームまたは各Ｎ番目のフレーム（ただし、Ｎは２以上）のプリアンブルに対して２つ以上のバーストを付加しうる。図５Ａでは２つの完全バースト５００、５０２が示されている。また、部分バースト５０４も示されている。
【００３３】
バーストの数は所望のプリアンブルサイズに基づきうる。受信装置はバーストの境界を特定するために複数のバーストを用いうる。受信装置はバーストの先頭を特定するために周波数の変化を検出する。バーストの先頭が特定されたら、受信装置はバーストの最大周波数および周期を検出することができる。例えば、受信装置は、第２のバーストの開始側の境界を第１のバーストを用いて、また第２のバーストの終了側の境界を後続する部分バーストを用いて、それぞれ決定する。
【００３４】
図５Ｂは、一実施形態に係る２トーン信号を示したものである。一実施形態において、プリアンブル信号は２トーン信号を含む。各フレームのプリアンブルには２つ以上のバーストが含まれる。各バーストはある所定値に等しい周波数で始まりうる。このバーストは第１のトーン５０６を表す。この所定値は、ある所定の最小チャネル帯域（例えば、ある所定の放送規格によって規定されるもの）に等しい値（例えば、５ＭＨｚ）でありうる。第２のトーン５０８の周波数はチャネル帯域に等しい。周期Ｔには、以下に等しい値を選択しうる。
【数３】
2018504800.tif 000005
例えば、
【数４】
2018504800.tif 000006
である。別の例として、受信器に送信するべきチャネル帯域が２０ＭＨｚで、かつサンプリング周波数が４８／７ＭＨｚの場合、上記の周期として以下の値が選択される。
【数５】
2018504800.tif 000007
【００３５】
一実施形態によると、チャープ信号はＣＯＦＤＭのフレームごとに繰り返される。プリアンブルには、送信されるデータの種類（例えば、音声、動画、ＷｉＦｉ）を示すデータも含まれる。チャープ信号は、プリアンブルに含まれるシグナリングデータのプリアンブルの前または後ろに挿入されうる。チャープ信号はアナログ回路を用いて生成してもよい。
【００３６】
図６に、一実施形態に係るチャープ信号の時間ドメインおよび振幅スペクトルを示す。チャープ信号は線形周波数変調によるＦＭ信号である。「チャープ」を抽出してチャネル帯域およびサンプリング周波数を復元するため、受信装置は低い「チャープ」周波数（５ＭＨｚ）に同調されたＦＭ復調器を備えている。トレース６００はチャープ信号の実部を示す。トレース６０２は周波数ドメインにおけるチャープ信号の振幅スペクトルを示す。トレース６０２に示される両限界は、チャネル帯域の推定に用いられる部分を示す。
【００３７】
図７は送信装置のブロック図である。送信装置は、例えば、動画像と音声信号とを提案されるＡＴＳＣ３．０規格、ＤＶＢ−Ｔ、ＤＶＢ−Ｈ（Ｄｉｇｉｔａｌ  Ｖｉｄｅｏ  Ｂｒｏａｄｃａｓｔｉｎｇ  ｆｏｒ  Ｈａｎｄｈｅｌｄｓ）、ＤＶＢ−Ｔ２、またはＤＶＢ−Ｃ２の規格に準拠して送信するために使用しうる。送信装置は、ＣＯＦＤＭ変調器７００と、プリアンブル挿入モジュール７０４と、ＤＡＣ７０６と、アンテナ７０８とを備えている。ＣＯＦＤＭ変調器７００は図８にさらに詳しく図示している。プリアンブル挿入モジュール７０４は、事前情報信号を含むシステムパラメータの挿入を行う。デジタル信号はＤＡＣ７０６によってアナログ信号に変換された後、無線周波数に変調される。他の諸実施形態において、事前情報はＤＡＣ７０６での処理の後にアナログ信号として挿入される。例えば、事前情報を表すチャープ信号はある所定のタイミングに従ってアナログ信号中に挿入される。
【００３８】
図８に、一実施形態に係るＡＴＳＣ３．０の物理層アーキテクチャを示す。ＡＴＳＣ３．０にはテレビ放送向けの機能改良および機能追加が期待されている。フレーマ８００は複数の入力ストリームを統合し、多くの物理層またはパイプを有する１つのフレームを生成する。スケジューラ８０２およびスクランブラ８０４は選択した順序にフレームを並べ、データをパイプごとにスクランブルする。前方誤り訂正器８０６はパイプごとに情報データ保護を追加する。ビットインタリーバ８０８は、チャネルの影響を低減するためにパイプ内のデータビット配置をランダム化する。マッピング器８１０はパイプごとに一群のデータビットを１つのシンボルに割り当てる。時間インタリーバ器８１２は、チャネルの影響を低減するためにパイプごとにシンボルをランダム化する。ＯＦＤＭフレーマ８１４は複数の入力を単一のストリームに統合し、それをフレームであるフォーマットする。チャネルの影響を低減するため、周波数インタリーバはデータセルをランダム化する。パイロット挿入器はチャネル推定および同期のためにパイロットおよび予約トーンを挿入する。その後、事前情報を含むプリアンブルを挿入してもよい。ＩＦＦＴユニット８２２はＣＯＦＤＭ波形を生成する。ＧＩ挿入器はＣＯＦＤＭ波形の繰り返し部分を挿入する。ガードインターバルは、通信チャネル内の遅延拡散によって生じるＩＳＩおよびキャリア間干渉（ＩＣＩ）に対処するために用いられる。ＧＩ長は、予想されるマルチパスのレベルに合わせて選択しうる。例えば、デジタル音声放送（ＤＡＢ）の場合、ガードインターバル長は受信器の統合期間の４分の１とされる。ＤＶＢ−ＨとＩＳＤＢ−Ｔは４種類のガード長をサポートする。それらはＣＯＦＤＭシンボルもしくはフレームデータの１／４、１／８、１／１６、および１／３２である。制御情報はＣＯＦＤＭにパラメータを提供する。例えば、制御情報は、あるデータに対する保護のレベルを提示しうる。次に、保護のレベルに応じて変調種別が選択される。例えば、高いレベルの保護では、変調種別としてＱＰＳＫが選択される。
【００３９】
図９は、受信装置の例示的な受信器回路のブロック図である。一実施形態において、受信器回路は、据え置き型または可動式の装置（例えば、テレビ受像器、セットトップボックス、スマートフォン、タブレット型コンピュータ、ラップトップ、携帯型コンピュータ、またはテレビコンテンツを受信するように構成された任意の他の装置）に内蔵されるデジタルテレビ受信器装置の一部である。受信器回路は、デジタルテレビ放送信号を１つ以上の送信装置から例えば地上放送経由で受信する。
【００４０】
アンテナ９１２は、図７に示す送信装置からの変調された信号を受信し、その変調された信号を同調器９００に提供する。ＦＭ復調器９０２はある所定のチャネル帯域に同調されている。所定のチャネル帯域はメモリに格納されている。所定のチャネル帯域は上記の低い「チャープ」周波数でありうる。他の諸実施形態において、チャネル帯域を見つけるためにＦＭ復調器９０２は複数の周波数を切り替えうる。ＦＭ復調器９０２の出力はオフセットを示す。オフセットは実際のチャネル帯域を示す。この例の場合、上述のように、オフセットは６ＭＨｚに等しい。これは、チャネル帯域が６ＭＨｚであることを示している。別の実施形態では、オフセットではなく最大周波数そのものが実際のチャネル帯域を示す。
【００４１】
ＦＭ復調器９０２の出力は事前キー処理器９０６に提供される。事前キー処理器９０６はサンプリング周波数を推定するための信号周期を抽出する。事前キー処理器９０６はチャネル帯域を同調器９００に、またサンプリング周波数をＡＤＣ９０４に出力する。サンプリング周波数およびチャネル帯域を見つけるために、事前キー処理器はメモリに格納されたＫマップテーブルを使用しうる。例示的なｋマップテーブルを以下に示す。
【表１】
2018504800.tif 000008
【００４２】
ＦＭ復調器９０２は、例えば低エネルギーチャネルの場合に、２つ以上のバーストの積算も行いうる。それにより、ノイズレベル付近での動作が可能になる。サンプリング周波数は上述のように上記周期から計算される。サンプリング周波数は、ＣＯＦＤＭ信号をデジタル形式に変換するためにアナログデジタル変換器（ＡＤＣ）９０４によって使用される。
【００４３】
各ＣＯＦＤＭシンボル周期内にＦＦＴウィンドウを設定するため、ＣＯＦＤＭ復調器９０８はＣＯＦＤＭ伝送におけるガードインターバルを検出する。ＣＯＦＤＭ復調器９０８では、ＦＦＴユニットが受信ＣＯＦＤＭシンボルに対してＦＦＴを実行し、周波数ドメインのシンボルを提供する。次に、受信器（Ｒｘ）データ処理器９１０は推定されたデータシンボルを処理（例えば、シンボルデマッピング、デインタリーブ、および復号）し、復号したデータを提供する。図９には示していないが、受信器回路は、タイミング取得、フィルタリング、サンプルレート変換、直流（ＤＣ）オフセット除去、フレーム検出、フレーム同期、および／または他の機能のための他の処理装置を含みうる。
【００４４】
選択した実施形態において、ＣＯＦＤＭには振幅ダイバーシティ（アンテナダイバーシティともいう）も使用されうる。アンテナダイバーシティは、ワイヤレスリンクの品質と信頼性を２本以上のアンテナを使って向上させる無線ダイバーシティ方式のうちのいずれかひとつである。チャネル帯域およびサンプリング周波数は、ＣＯＦＤＭ信号のＬ１プレシグナリング部内に符号化されうる。プリアンブルは、符号化率が１／２の前方誤り訂正（ＦＥＣ）を用いたＱＰＳＫ（例えば、サンプリング周波数およびチャネル帯域のコードを送信するのにＱＰＳＫのＩ相成分のみ、すなわちＢＰＳＫを用いる）方式を用いて符号化されうる。チャネル帯域およびサンプリング周波数は少ないビット数で符号化されうる。
【００４５】
図１０は、振幅ダイバーシティを用いる受信装置の例示的な受信器回路のブロック図である。図１０は２本のアンテナ１０１４、１０１６を示している。アンテナ１０１４、１０１６は送信装置からの信号を連続的に受信する。図１０に示されるアンテナは２本だが、振幅ダイバーシティを用いる受信器回路は２本以上のアンテナを備えうる。各アンテナからの信号には結合利得を乗じうる。結合利得は、信号の実効値レベルに比例するとともに、当該チャネルの平均２乗ノイズレベルに反比例するように設定しうる。したがって、アンテナ１０１４、１０１６によって受信される信号のそれぞれは異なる結合利得を有する。他の諸実施形態において、すべての信号に対する結合利得は同じ値に設定し、その後も変更がないようにしうる。次に、最大ダイバーシティ利得に向けてすべての信号が必ず同相で加算されるよう、ディレイ１００２、１００４を用いて信号を同位相にしてから加算を行う。加算された信号はその後、受信信号として使用される。さらに一実施形態において、振幅ダイバーシティは必要ではなく、１本のアンテナのみが使用される。受信信号は次に同調器１００６に提供される。受信信号からＱ相を取り出すためにヒルベルト変換を使用しうる。ヒルベルト変換は受信信号を９０度シフトし、Ｉ相サンプルからＱ相サンプルを取り出す。デジタル式のヒルベルト変換装置の使用を回避するため、一実施形態では、受信信号からのＩ相サンプルを使用するべきである。次に、同調器１００６から出力される信号は包絡線検出器１００８に提供される。包絡線検出器１００８は、高周波信号を入力とし、元の信号の包絡線を出力として提供する、電子回路である。包絡線検出器１００８は、ＬＣ回路に給電するダイオードを含みうる。ダイオードは、回路の出力から接地までの間で抵抗器およびキャパシタと並列に接続されうる。包絡線検出器１００８からの出力は「１」または「０」になる。
【００４６】
包絡線検出器１００８からの出力は事前キー処理器１０１８に提供される。包絡線検出器からの出力はサンプリング周波数およびチャネル帯域の２進表現であるため、事前キー処理器１０１８は符号化されたチャネル帯域およびサンプリング周波数を取り出す。符号化されたチャネル帯域およびサンプリング周波数が事前キー処理器１００８から取り出されたら、上記１つ以上のコードを、メモリに格納されたルックアップテーブルと比較し、チャネル帯域およびサンプリング周波数を取り出す。一実施形態において、サンプリング周波数を表すのに５つのＢＰＳＫシンボルが使用されえ、チャネル帯域を表すのに５つのＢＰＳＫシンボルが使用されうる。したがって、サンプリング周波数の取り出しには３２個（２の５乗）のデータ値を有する第１のルックアップテーブルが用いられうる。同様に、チャネル帯域の取り出しには３２個（２の５乗）のデータ値を有する第２のルックアップテーブルが用いられうる。チャネル帯域は次に信号の取り出しのために同調器１００６に供給される。サンプリング周波数はＡＤＣ１０１０に供給される。ＡＤＣ１０１０からの出力は復調器１０１２に供給される。
【００４７】
図９および図１０に示す受信器回路は一般に、少なくとも１つのプロセッサ（例えば、ＣＰＵ）の制御下で動作する。プロセッサは１本以上のバスを介してメモリ、プログラムメモリ、およびグラフィックスサブシステムに結合される。受信器回路の制御を行う例示的なコンピュータについては図１２を参照しながら別途説明する。
【００４８】
図１１は、例示的な受信装置を示したものである。受信装置は、据え置き型または可動式の装置（例えば、テレビ受像器、セットトップボックス、スマートフォン、タブレット型コンピュータ、ラップトップ、携帯型コンピュータ、またはテレビコンテンツを受信するように構成された任意の他の装置）に内蔵されるデジタルテレビ受信器装置を含む。
【００４９】
受信装置は同調器／復調器１１０２を備えている。同調器／復調器１１０２は、１つ以上のコンテンツ供給源（例えば、コンテンツ供給源）から例えば地上放送経由でデジタルテレビ放送信号を受信する。一部の実施形態において、同調器／復調器１１０２は図９または図１０に示す受信器回路のいずれかを備えている。どの実施形態かに応じて、受信装置は、上記とは異なり、または上記に加えて、ケーブルテレビ送信または衛星放送を受信するように構成されうる。同調器／復調器１１０２は信号（例えば、ＭＰＥＧ−２  ＴＳまたはＩＰパケットを含む）を受信する。この信号はデマルチプレクサ１１０４によって多重分離されうるか、またはミドルウェアによって処理されて個々の音声・動画（Ａ／Ｖ）ストリームに分離されうる。音声は音声復号器１１１０によって復号され、動画は動画復号器１１１４によって復号される。さらに、非圧縮Ａ／Ｖインタフェースが利用可能な場合、非圧縮Ａ／Ｖデータが非圧縮Ａ／Ｖインタフェース（例えば、ＨＤＭＩインタフェース）経由で受信されうる。
【００５０】
一実施形態において、受信信号（またはストリーム）は、補足データ（例えば、クローズドキャプションデータ、トリガによる宣言型オブジェクト（ＴＤＯ：ｔｒｉｇｇｅｒｅｄ  ｄｅｃｌａｒａｔｉｖｅ  ｏｂｊｅｃｔ）、トリガ、仮想チャネルテーブル、ＥＰＧデータ、ＮＲＴコンテンツ等の１つまたは組み合わせ）を含む。ＴＤＯおよびトリガの例がＡＴＳＣ  Ｃａｎｄｉｄａｔｅ  Ｓｔａｎｄａｒｄ：Ｉｎｔｅｒａｃｔｉｖｅ  Ｓｅｒｖｉｃｅｓ  Ｓｔａｎｄａｒｄ（Ａ／１０５：２０１４）、Ｓ１３−２−３８９ｒ７に記載されている。同書はその全体が参照によって本願明細書に援用される。こうした補足データはデマルチプレクサ１１０４によって分離される。ただし、Ａ／Ｖコンテンツおよび／または補足データは、インターネット１１３０およびネットワークインタフェース１１２６経由で受信してもよい。
【００５１】
非リアルタイムコンテンツ（ＮＲＴ）またはインターネット配信コンテンツ（例えば、ＩＰＴＶ（Ｉｎｔｅｒｎｅｔ  Ｐｒｏｔｏｃｏｌ  Ｔｅｌｅｖｉｓｉｏｎ））を格納するために格納装置を備えていてもよい。格納されるコンテンツは、格納装置に格納されるコンテンツをコンテンツの他の供給源の場合と同様の要領でデマルチプレクサ１１０４によって多重分離することによって再生することができる。あるいは、格納されるコンテンツは、ＣＰＵ１１３８によって処理されてユーザに提示されうる。格納装置は、受信装置によって取得される任意の他の補足データをも格納しうる。
【００５２】
受信装置は一般に、少なくとも１つのプロセッサ（例えば、ＣＰＵ１１３８）の制御下で動作する。プロセッサは１本以上のバス（例えば、バス１１５０）を介して作業用メモリ１１４０、プログラムメモリ１１４２、およびグラフィックスサブシステム１１４４に結合される。ＣＰＵ１１３８は、デマルチプレクサ１１０４からのクローズドキャプションデータ、ならびにグラフィックスのレンダリングに用いられる任意の他の補足データを受信し、適切な命令およびデータをグラフィックスサブシステム１１４４に送信する。グラフィックスサブシステム１１４４によって出力されるグラフィックスは、合成器兼動画インタフェース１１６０によって動画像と組み合わされ、ビデオディスプレイでの表示に好適な出力を生成する。
【００５３】
さらに、ＣＰＵ１１３８は受信装置の機能を実行するように動作する。これには、ＮＲＴコンテンツ、トリガ、ＴＤＯ、ＥＰＧデータ等の処理が含まれる。例えば、ＣＰＵ１１３８は、ＴＤＯ中に含まれるスクリプトオブジェクト（制御オブジェクト）やその（１つ以上の）トリガ等を、例えばプログラムメモリ１１４２に格納されるＤＯ（宣言型オブジェクト：Ｄｅｃｌａｒａｔｉｖｅ  Ｏｂｊｅｃｔ）エンジンを用いて実行するように動作する。
【００５４】
図１１には示していないが、１つ以上の機能の制御を中央管理するため、ＣＰＵ１１３８は受信装置のリソースの任意の１つまたは組み合わせと結合されうる。一実施形態において、ＣＰＵ１１３８は、受信装置の制御を監督するようにも動作する。その対象には、同調器／復調器１１０２および他のテレビリソースが含まれる。
【００５５】
図１２は、コンピュータのハードウェア構成の一例を示すブロック図であり、このコンピュータは、受信装置および送信装置のいずれかまたはその組み合わせの機能を実行するように構成することができる。例えば、一実施形態において、コンピュータは、デジタル領域（例えば、ＣＯＦＤＭ変調器７００、プリアンブル挿入モジュール７０４、ＣＯＦＤＭ復調器９０８、事前キー処理器９０６、および受信器データ処理器９１０）内の機能を実行するように構成される。
【００５６】
図１２に示すように、コンピュータは、１本以上のバス１２０８を介して相互に接続された、中央演算処理装置（ＣＰＵ）１２０２と、ＲＯＭ（読み出し専用メモリ）１２０４と、ＲＡＭ（ランダムアクセスメモリ）１２０６と、を備えている。１本以上のバス１２０８はさらに入出力インタフェース１２１０と接続されている。入出力インタフェース１２１０は入力部１２１２と接続されている。入力部１２１２はキーボード、マウス、マイクロフォン、リモートコントローラ等によって形成される。入出力インタフェース１２１０は、出力部１２１４（音声インタフェース、動画インタフェース、ディスプレイ、スピーカ等によって形成される）、記録部１２１６（ハードディスク、不揮発性メモリ、または非一時的なコンピュータ可読記憶媒体によって形成される）、通信部１２１８（ネットワークインタフェース、モデム、ＵＳＢインタフェース、ＦｉｒｅＷｉｒｅインタフェース等によって形成される）、およびリムーバブルメディア１２２２（例えば、磁気ディスク、光ディスク、光磁気ディスク、半導体メモリ等）を駆動するドライブ１２２０、とも接続されている。
【００５７】
一実施形態によれば、ＣＰＵ１２０２は記録部１２１６に格納されるプログラムを入出力インタフェース１２１０およびバス１２０８経由でＲＡＭ１２０６にロードした後、上記コンテンツ供給源、受信装置、および送信装置の１つまたは組み合わせの機能を提供するように構成されたプログラムを実行する。
【００５８】
上記説明の特徴を含む方法はさまざまな利点を提供する。特に、上記方法および装置はチャネル帯域およびサンプリング周波数をプリアンブル信号から決定する。本開示は、サンプリング周波数およびチャネル帯域を事前に知る必要がないという利点を有する。チャープ信号を変更することによって放送者は帯域を容易に変更しうる。受信装置は複数のチャネル帯域を用いて放送信号を受信しうる。放送者はチャネル帯域を制御するだけの柔軟性を有する。
【００５９】
上記のように、本開示の実施形態は、「チャープ」周波数および振幅ダイバーシティの使用を含め、事前キーを生成する複数の手法を含む。いくつかの実施形態において、「チャープ」周波数のインプリメンテーションは、チャネルラスタにまで及ぶことで周波数フェーディングを低減し、プリアンブルごとに置かれることで時間的なデータ落ちを低減し、チャネル帯域およびサンプリング周波数の事前情報を受信器において抽出できる単純なＦＭ復調器を実現する。さらに、同一データの反復的性質により、積算された相関情報によってノイズのない情報が構築できうる。
【００６０】
さらに、いくつかの実施形態では、振幅ダイバーシティのインプリメンテーションにおいて、シグナリングが１／２の符号化率で保護されたＱＰＳＫ変調データをデジタル的に生成しえ、遅延および乗算回路はＡ／Ｄの前にこのデータを抽出するように動作させることができるうえ、同一データの反復的性質により、積算された相関情報によってノイズのない情報が構築できうる。さらに、本開示の諸実施形態は、信号の開始点を標準化する手法を提供し、それにより、将来の成長に対して完全な柔軟性が実現する。その結果、かかるシグナリングはオーバーヘッドが低減されるようにコンパクトに提供されるほか、デジタルサンプルが受信器において取り込まれる前にシグナリング開始点の選択肢が提供される。
【００６１】
上記の教示を考慮すると、本開示にはさまざまな改変および変更が可能である。そのため、本開示は、添付の特許請求の範囲の範囲内において上記の具体的説明以外の形態で実施しうる。
【００６２】
以上の開示は以下に示す実施形態をも包含する。
【００６３】
（１）事前情報を送信する方法であって、その方法は、事前情報を、これから送信される信号のサンプリング周波数およびチャネル帯域に基づいて送信装置の回路によって生成する工程と、事前情報を回路によってデータ信号に付加する工程と、付加された事前情報を含むデータ信号を回路によって受信装置に送信する工程と、を含む。
（２）上記生成する工程は、事前情報を表すチャープ信号を生成する工程であって、チャープ信号は、チャープ率がサンプリング周波数に等しく、かつ最大周波数がチャネル帯域に等しい少なくとも１つのバーストを含む、工程、を含む、特徴（１）に記載の方法。
（３）チャープ信号は少なくとも２つの同一バーストを含む、特徴（２）に記載の方法。
（４）少なくとも２つの同一バーストのうちの１つのバーストの開始は、少なくとも２つの同一バーストのうちの２つの間の周波数の変化によって検出される、特徴（３）に記載の方法。
（５）チャープ信号はＣＯＦＤＭフレームに付加される、特徴（２）から（４）のいずれかに記載の方法。
（６）チャープ信号はＣＯＦＤＭフレームのプリアンブルに付加される、特徴（５）に記載の方法。
（７）上記生成する工程は、サンプリング周波数およびチャネル帯域を含む事前情報を表す２進コードを生成する工程と、連続パイロットの位相を２進コードに基づいて設定する工程と、を含む、特徴（１）に記載の方法。
（８）事前情報は符号化され、ゴールド符号を用いて時間的に積算される、特徴（７）に記載の方法。
（９）事前情報を受信する方法であって、その方法は、送信された信号を受信装置の回路によって受信する工程であって、送信された信号はデータ信号に付加された事前情報を含む、工程と、送信された信号に含まれる事前情報を回路によって検出する工程と、送信された信号に関連するサンプリング周波数およびチャネル帯域を、検出された事前情報に基づいて決定する工程と、を含む。
（１０）送信された信号を受信する同調器を、決定されたチャネル帯域に基づいて調整する工程と、受信信号のアナログデジタル変換を、決定されたサンプリング周波数に基づいて実行する工程と、をさらに含む、特徴（９）に記載の方法。
（１１）上記検出する工程は、事前情報を表すチャープ信号を検出する工程であって、チャープ信号は、チャープ率がサンプリング周波数に等しく、かつ最大周波数がチャネル帯域に等しい少なくとも１つのバーストを含む、工程、を含む、特徴（９）または（１０）に記載の方法。
（１２）上記検出する工程は、送信された信号のＦＭ復調を実行する工程を含む、特徴（１１）に記載の方法。
（１３）チャープ信号は少なくとも２つの同一バーストを含む、特徴（１１）に記載の方法。
（１４）少なくとも２つの同一バーストのうちの１つのバーストの開始は、少なくとも２つの同一バーストのうちの２つの間の周波数の変化によって検出される、特徴（１３）に記載の方法。
（１５）チャープ信号はＣＯＦＤＭフレームに付加される、特徴（１１）から（１４）のいずれかに記載の方法。
（１６）チャープ信号はＣＯＦＤＭフレームのプリアンブルに付加される、特徴（１５）に記載の方法。
（１７）上記検出する工程は、連続パイロットの位相を検出する工程と、連続パイロットの位相を前のデータ搬送波と比較する工程と、位相変化があるという判定に応答して第１のコードを検出する工程と、位相変化がないという判定に応答して第２のコードを検出する工程と、検出されたコードに基づいてサンプリング周波数およびチャネル帯域の１つをルックアップテーブルを用いて取り出す工程と、を含む、特徴（９）に記載の方法。
（１８）検出されたコードは符号化された事前情報を表し、事前情報を検出する上記工程は、検出されたコードをメモリに格納されたゴールド符号を用いて積算する工程をさらに含む、特徴（１７）に記載の方法。
（１９）事前情報を、これから送信されるデータ信号のサンプリング周波数およびチャネル帯域に基づいて生成し、データ信号に付加し、付加された事前情報を含むデータ信号を受信装置に送信するように構成された回路を備えた、送信装置。
（２０）回路は、事前情報を表すチャープ信号を生成するように構成され、チャープ信号は、チャープ率がサンプリング周波数に等しく、かつ最大周波数がチャネル帯域に等しい少なくとも１つのバーストを含む、特徴（１９）に記載の送信装置。
（２１）チャープ信号は少なくとも２つの同一バーストを含む、特徴（２０）に記載の送信装置。
（２２）少なくとも２つの同一バーストのうちの１つのバーストの開始は、少なくとも２つの同一バーストのうちの２つの間の周波数の変化によって検出される、特徴（２１）に記載の送信装置。
（２３）チャープ信号はＣＯＦＤＭフレームに付加される、特徴（２０）から（２２）のいずれかに記載の送信装置。
（２４）チャープ信号はＣＯＦＤＭフレームのプリアンブルに付加される、特徴（２３）に記載の送信装置。
（２５）回路は、サンプリング周波数およびチャネル帯域を含む事前情報を表す２進コードを生成し、連続パイロットの位相を２進コードに基づいて設定するように構成されている、特徴（１９）に記載の送信装置。
（２６）事前情報は符号化され、ゴールド符号を用いて時間的に積算される、特徴（２５）に記載の送信装置。
（２７）送信された信号を受信し、送信された信号はデータ信号に付加された事前情報を含み、送信された信号に含まれる事前情報を検出し、送信された信号に関連するサンプリング周波数およびチャネル帯域を、検出された事前情報に基づいて決定するように構成された回路を備えた、受信装置。
（２８）回路は、送信された信号を受信する同調器を、決定されたチャネル帯域に基づいて調整し、受信信号のアナログデジタル変換を、決定されたサンプリング周波数に基づいて実行するように構成されている、特徴（２７）に記載の受信装置。
（２９）回路は、事前情報を表すチャープ信号を検出するように構成され、チャープ信号は、チャープ率がサンプリング周波数に等しく、かつ最大周波数がチャネル帯域に等しい少なくとも１つのバーストを含む、特徴（２７）または（２８）に記載の受信装置。
（３０）回路は、送信された信号のＦＭ復調を実行するように構成されている、特徴（２９）に記載の受信装置。
（３１）チャープ信号は少なくとも２つの同一バーストを含む、特徴（３０）に記載の受信装置。
（３２）少なくとも２つの同一バーストのうちの１つのバーストの開始は、少なくとも２つの同一バーストのうちの２つの間の周波数の変化によって検出される、特徴（３１）に記載の受信装置。
（３３）チャープ信号はＣＯＦＤＭフレームに付加される、特徴（２９）から（３２）のいずれかに記載の受信装置。
（３４）チャープ信号はＣＯＦＤＭフレームのプリアンブルに付加される、特徴（３３）に記載の受信装置。
（３５）回路は、連続パイロットの位相を検出し、連続パイロットの位相を前のデータ搬送波と比較し、位相変化があるという判定に応答して第１のコードを検出し、位相変化がないという判定に応答して第２のコードを検出し、検出されたコードに基づいてサンプリング周波数およびチャネル帯域の１つをルックアップテーブルを用いて取り出す、ように構成されている、特徴（２７）に記載の受信装置。
（３６）検出されたコードは符号化された事前情報を表し、事前情報を検出する上記工程は、検出されたコードをメモリに格納されたゴールド符号を用いて積算する工程をさらに含む、特徴（３５）に記載の受信装置。
【図１】
2018504800.tif 000009
【図２】
2018504800.tif 000010
【図３】
2018504800.tif 000011
【図４】
2018504800.tif 000012
【図５Ａ】
2018504800.tif 000013
【図５Ｂ】
2018504800.tif 000014
【図６】
2018504800.tif 000015
【図７】
2018504800.tif 000016
【図８】
2018504800.tif 000017
【図９】
2018504800.tif 000018
【図１０】
2018504800.tif 000019
【図１１】
2018504800.tif 000020
【図１２】
2018504800.tif 000021
【国際調査報告】
2018504800.tif 000022
2018504800.tif 000023